(57)【要約】      （修正有）【課題】水泳用ゴーグルに関し、着用が快適で、水が入り込む心配がなく、水泳時の水抵抗を低下させ、前進時の視野を良好に保つことができる水泳用ゴーグルを提供する。【解決手段】水泳用ゴーグル１は、レンズを備えた左フレーム２０、右フレーム２１と連結部品２２と、それぞれを左フレーム、右フレームに設けたパッド４とバンド取付部５を含む。そのうち、左フレーム、右フレームはそれぞれ内周面と外周面を備え、パッドは断面がＪ型をなす顔密着部４０と装着部４１を備える。左フレーム、右フレームの外周面とパッドの顔密着部の輪郭の大きさは、頭蓋骨眼窩の内周縁に相当し、更に、パッドの顔密着部は眉の下方、目の下方の上縁及び下縁に相対して、パッドの装着部との間にほぼ接近する隙間を保持し、着用時に、左フレーム、右フレームの全体が頭蓋骨眼窩の内周縁に密着する。【選択図】図１Ａ
0003185235.tif 000002
【実用新案登録請求の範囲】
【請求項１】
それぞれに内周面と外周面を備える左フレーム及び右フレームと、
それぞれが左フレーム、右フレームの外周面と一体となるよう設置するレンズと、
左フレーム、右フレームの間に取り付けた連結部品と、
左フレーム、右フレームの内周面にそれぞれ設け、断面がＪ型をなす顔密着部と装着部を備えるパッドと、
左フレーム、右フレームの外側にそれぞれ設けたバンド取付部とを含む水泳用ゴーグルは、
左フレーム、右フレームの外周面とパッドの顔密着部の輪郭の大きさは、頭蓋骨眼窩の内周縁に相当し、すなわち、眼窩上方の内周縁と眉の下方、眼窩下方内周縁の目の下方、および眼窩内側内周縁の涙腺脇の鼻梁測辺と眼窩外側内周縁の眼角に囲まれたエリアに相当し、尚且つ、左フレーム、右フレームはそれぞれ、その内周面に沿って溝を設け、該パッドの装着部は一体となるよう溝を包覆し、さらに、該パッドの顔密着部の上縁と下縁は眉の下方及び目の下方に相対して、パッドの装着部との間にほぼ接近する隙間を保持し、  前記構造の水泳用ゴーグルを着用後、パッドの顔密着部の上縁と下縁を眉の下方及び目の下方に位置させると、左フレーム、右フレームの全体が頭蓋骨眼窩の内周縁に密着し、着用時の快適性を高め、水が入り込む心配がなく、水泳時の水抵抗を低下させる効果を実現することを特徴とする水泳用ゴーグル。
【請求項２】
前記レンズには折線を設け、該レンズを第一折面と第二折面に区切り、第一折面は折線を基準として上方向に傾斜し、第二折面は折線を基準として下方向に傾斜し、これにより、水泳用ゴーグル着用後、前進時の視野を良好に保つ効果を実現することを特徴とする請求項１に記載の水泳用ゴーグル。
【請求項３】
前記レンズの折線は、水泳用ゴーグルを着用後、使用者の目の下縁に相対することを特徴とする請求項２に記載の水泳用ゴーグル。
【請求項４】
前記レンズの折線は左フレーム、右フレームの外周面まで延長することを特徴とする請求項３に記載の水泳用ゴーグル。
【請求項５】
前記左フレーム、右フレームが眉の下方及び目の下方に相対し、その縦方向の断面を異なる厚さにし、これは即ち、眉の下方に相対する厚さは目の下方に相対する厚さより薄く、水泳用ゴーグルを着用後は、眉の下方及び目の下方の輪郭に密着し、これによりレンズの第一折面と使用者の目はほぼ平行となり、左フレーム、右フレームの全体が頭蓋骨眼窩の内周縁に密着することを特徴とする請求項１に記載の水泳用ゴーグル。
【請求項６】
前記パッドの顔密着部と装着部の相互間の隙間はラッパ形状とし、即ち、ラッパ形状は、顔密着部が眉の下方及び目の下方の上縁及び下縁に相対してほぼ接近する隙間を基準とし、顔密着部と装着部の相互間の隙間を徐々に拡大してなることを特徴とする請求項１に記載の水泳用ゴーグル。
【請求項７】
前記左フレーム、右フレームは涙腺脇の鼻梁測辺に相対して被切削円弧面を設けるため、着用時には涙腺脇の鼻梁測辺の輪郭に沿って密着することを特徴とする請求項６に記載の水泳用ゴーグル。
【請求項８】
前記パッドの顔密着部と装着部の相互間の徐々に拡大する隙間は、さらに左フレーム、右フレームの被切削円弧面に相対し相互に近づいて隙間を縮小させ、着用後、その箇所の顔密着部は該被切削円弧面上に密着して平たくなるよう補うため、顔密着部全体は涙腺脇の鼻梁測辺の輪郭に沿って密着することを特徴とする請求項７に記載の水泳用ゴーグル。
【請求項９】
前記連結部品はアーチ型であり、パッドの装着部と一体となるよう設置することを特徴とする請求項１に記載の水泳用ゴーグル。
【請求項１０】
前記連結部品はアーチ型であり、その両側に嵌着足を備え、左フレーム、右フレームの外周面上には前記嵌着足を嵌入するための嵌合体を延伸し、尚且つレンズの折線に相対する上方に位置させることを特徴とする請求項１に記載の水泳用ゴーグル。
【請求項１１】
前記バンド取付部は左フレーム、右フレームの外側に少なくとも一つの貫通孔を設け、尚且つ該貫通孔の中央線は、レンズの折線に相対する上方に位置することを特徴とする請求項２に記載の水泳用ゴーグル。
【請求項１２】
前記パッドの装着部は、顔密着部と同じ材質或いは異なる材質とし、同じ材質を採用する場合、装着部の材質は顔密着部よりも硬くし、異なる材質を採用する場合、装着部は左フレーム、右フレームとパッドの顔密着部の二種類の異なる材料を結合できる複合材料を採用することを特徴とする請求項９に記載の水泳用ゴーグル。
【請求項１３】
前記パッドの装着部と顔密着部は異なるカラーで設置することを特徴とする請求項９に記載の水泳用ゴーグル。
【考案の詳細な説明】
【技術分野】
【０００１】
本考案は、水泳用ゴーグルに関し、特に、人体工学に符合し、水泳用ゴーグルの着用が快適で、水が入り込む心配がなく、水泳時の水抵抗を低下させ、前進時の視野を良好に保つことができる水泳用ゴーグルの新構造に係る。
【背景技術】
【０００２】
公知の競技に適する水泳用ゴーグルは主に、水泳選手がゴーグルを着用した後に、該フレームを頭蓋骨の眼窩内周縁すなわち図１１に示す眼窩６上方の内周縁６０と眉の下方７０、眼窩６下方内周縁６１の目の下方７１、および眼窩６内側内周縁６２の涙腺７２脇の鼻梁８測辺８２と眼窩６外側内周縁６３の眼角７３等に囲まれたエリア(以降、詳細記述したエリアを簡単に頭蓋骨眼窩の内周縁と記述する。)に密着させ、水泳過程における水中の抵抗力を最低にする。公知の水泳用ゴーグルは、比較的硬い材料によってレンズとフレームが一体となるよう成形し、尚且つ、フレームと顔部とが接触する一方側にはパッドを設置しない。よって、着用した後に使用者が不快感を倍増させ、尚且つ完全に密着されない状況が非常に起こり易いため水が入り込む心配もある。この問題点に鑑み、競技に用いる公知の水泳用ゴーグルのフレームと顔とが接触する一方側にパッドを設置したものもある。パッドの設置によって前述した着用の不快感と水が入り込む心配を改善したが、増加したパッドの断面がＪ型構造であり、該Ｊ型パッドは順方向接触方式によって眉と頬骨を囲んだエリアに密着する。即ち、頭蓋骨眼窩の内周縁には密着せず、着用後のフレームは顔部の額に突出し、水泳時の前進過程において水抵抗を引き起こす。また、着用後、フレームが顔の額に突出し、尚且つレンズと目は相互に傾斜するため、水泳過程において脇から見えるものがフレームによって遮られ、前進する際の視野を悪くする。
【考案の概要】
【考案が解決しようとする課題】
【０００３】
本考案の主な目的は、競技用に適する水泳用ゴーグルの提供にある。該水泳用ゴーグルを着用すると、頭蓋骨眼窩の内周縁と密着するため、人体工学に符合して着用の快適さを提供するだけでなく、水が入る心配もなく、水泳時の水抵抗を低下させる効果を実現する。
【０００４】
本考案の水泳用ゴーグルのもう一つの目的は、水泳で前進する際の視野を良好にする水泳用ゴーグルを提供する。該水泳用ゴーグルのレンズを折面設計にすることで、水泳過程において横から見えるものがフレームによって遮られることなく、前進する際の好ましい視野を保つことができる。
【課題を解決するための手段】
【０００５】
前記目的を達成するために、本考案の水泳用ゴーグルは、レンズを備えた左フレーム及び右フレームと、左フレームと右フレームの間に取り付けた連結部品と、左フレームと右フレームにそれぞれ設けたパッドとバンド取付部を含み、そのうち、左フレームと右フレームにはそれぞれ内周面と外周面を備え、パッドには断面がＪ型の顔密着部と装着部を備える。
【考案の効果】
【０００６】
本考案の水泳用ゴーグルの主な特徴は次の通りである。該左フレーム、右フレームの外周面とパッドの顔密着部の輪郭の大きさは、頭蓋骨眼窩の内周縁(すなわち、眼窩上方の内周縁と眉の下方、眼窩下方内周縁の目の下方、および眼窩内側内周縁の涙腺脇の鼻梁測辺と眼窩外側内周縁の眼角等に囲まれたエリア)に相当し、尚且つ、該左フレーム、右フレームはそれぞれその内周面に沿って溝を設け、該パッドの顔密着部の上縁と下縁は眉の下方及び目の下方に相対して、パッドの装着部との間にほぼ接近する隙間を保持する。前記構造の水泳用ゴーグルを着用後、パッドの顔密着部の上縁と下縁を眉の下方及び目の下方に位置させると、左フレーム、右フレームの全体が頭蓋骨眼窩の内周縁に密着する。
【０００７】
本考案の水泳用ゴーグルの第二の特徴は、左フレームと右フレームの外周面とレンズを一体となるよう設置し、尚且つ、レンズにはそれぞれ折線を設け、該レンズを第一折面と第二折面に区切り、第一折面は水泳用ゴーグル着用後の水泳過程において、フレームが横から見えるものを遮ることなく、前進時の視野を好ましい状態に保持することである。
【０００８】
本考案の水泳用ゴーグルの第三の特徴は、左フレーム、右フレームは眉の下方及び目の下方に相対する縦方向の断面を異なる厚さとすることにある。即ち、眉の下方の厚さに相対する厚さは目の下方に相対する厚さより薄く、水泳用ゴーグルを着用後は、眉の下方及び目の下方の輪郭に密着し、これによりレンズの第一折面と使用者の目はほぼ平行となり、左フレーム、右フレームの全体が頭蓋骨眼窩の内周縁に密着する。
【図面の簡単な説明】
【０００９】
【図１Ａ】本考案水泳用ゴーグルの第一実施例立体正面図である。
【図１Ｂ】本考案水泳用ゴーグルの第一実施例立体背面図である。
【図２】図１Ａの上面図である。
【図３】図１Ａの底面図である。
【図４】図１Ａの正面図である。
【図５】図４の５−５の断面図である。
【図６】図４の６−６の断面図である。
【図７】図４の７−７の断面図である。
【図８Ａ】本考案水泳用ゴーグルを使用者の頭部に着用時をシミュレーションした正面図である。
【図８Ｂ】本考案水泳用ゴーグルを使用者の頭部に着用時をシミュレーションした上面図である。
【図８Ｃ】本考案水泳用ゴーグルを使用者の頭部に着用時をシミュレーションした側面図である。
【図８Ｄ】本考案水泳用ゴーグルを使用者の頭部に着用時をシミュレーションした底面図である。
【図８Ｅ】本考案水泳用ゴーグルを実際に使用者の頭部に着用した状態を示す図である。
【図９】折線を延長し左フレームと右フレームの外周面上に設置したことを示す本考案水泳用ゴーグルの第二実施例である。
【図１０】連結部品とパッドの装着部を一体となるよう設置することを示す本考案水泳用ゴーグルの第三実施例である。
【図１１】人体頭蓋骨の局部正面図で、片側の眼窩形状を示す。
【考案を実施するための形態】
【００１０】
図１乃至図７に示すとおり、本考案の水泳用ゴーグル１は、左フレーム２０、右フレーム２１、連結部品２２、レンズ３０、レンズ３１、パッド４、バンド取付部５によって構成される。そのうち、左フレーム２０、右フレーム２１はポリカーボネート樹脂（Polycarbonate Resin）を選択し、該左フレーム２０、右フレーム２１にはそれぞれ、内周面２０１、内周面２１１及び外周面２０２、外周面２１２を備える。そのうち、該内周面２０１、内周面２１１には溝２０３、溝２１３を一体となるよう設置し（図５、図７参照）、パッド４と一体結合時のプラスチック材の挟持に用いる。尚且つ、該左フレーム２０、右フレーム２１の外周面２０２、外周面２１２の輪郭の大きさは、頭蓋骨眼窩の内周縁(すなわち、眼窩上方の内周縁と眉の下方、眼窩下方内周縁の目の下方、および眼窩内側内周縁の涙腺脇の鼻梁測辺と眼窩外側内周縁の眼角等に囲まれたエリア)に相当し、着用後は左フレーム２０、右フレーム２１の外周面２０２、外周面２１２の上縁と下縁を頭蓋骨眼窩の内周縁に位置させることができる。また、該左フレーム２０、右フレーム２１は、眉の下方及び目の下方の縦方向の断面に対して、異なる厚さｍ、厚さｎを有する（図７参照）。即ち、眉の下方の厚さは目の下方の厚さより薄いため、水泳用ゴーグルを着用すると、眉の下方及び目の下方の輪郭に密着する。また、左フレーム２０、右フレーム２１は涙腺脇の鼻梁測辺に相対して、被切削円弧面２０５、被切削円弧面２１５を設けるため、着用時には、涙腺脇の鼻梁測辺の輪郭に沿って密着する。
【００１１】
レンズ３０、レンズ３１も同様にポリカーボネート樹脂（Polycarbonate Resin）を選択し、それぞれを左フレーム２０の外周面２０２と右フレーム２１の外周面２１２と一体となるよう設置し、尚且つ、レンズ３０、レンズ３１にはそれぞれ折線３０１、折線３１１を設け、レンズ３０、レンズ３１を第一折面３０２、第一折面３１２と第二折面３０３、第二折面３１３に区切り、第一折面３０２、第一折面３１２は折線３０１、折線３１１を基準として上方向に傾斜し、第二折面３０３、第二折面３１３は、折線３０１、折線３１１を基準として下方向に傾斜する。使用者が水泳用ゴーグルを着用後の水泳過程において、折線３０１、折線３１１の働きにより、フレームが横から見えるものを遮ることなく、前進時の視野を好ましい状態に保持する効果を発揮する。
【００１２】
連結部品２２はアーチ型であり、その両端に嵌着足２２１、嵌着足２２２（図５参照）を備え、左フレーム２０の外周面２０２、右フレーム２１の外周面２１２上には前記嵌着足２２１、嵌着足２２２を嵌入するための嵌合体２０４、嵌合体２１４を設け、尚且つ連結部品２２の嵌合体２０４、嵌合体２１４をレンズ３０、レンズ３１の折線３０１、折線３１１に相対する上方に位置させる（図４参照）。注意すべき点は、連結部品は実際に製作する上で異なるサイズに選択でき、使用者の鼻梁形状の違いによって選択できるものとする。
【００１３】
パッド４は、それぞれ左フレーム２０の内周面２０１、右フレーム２１の内周面２１１に断面がＪ型となる顔密着部４０及び装着部４１を備え、ＴＰＲ樹脂（Thermo Plastic Rubber）を選択し快適な密着効果を提供する。装着部４１の成形時、内周面２０１の溝２０３と内周面２１１の溝２１３を挟持し（図７参照）、パッド４一体のなるよう左フレーム２０、右フレーム２１上に固着する。また、パッド４の顔密着部４０の輪郭の大きさは、頭蓋骨眼窩の内周縁に相当し、尚且つ顔密着部４０は眉の下方及び目の下方の上縁及び下縁に相対して、装着部４１との間にほぼ接近する隙間ｔを保つ（図１Ａ、図２、図３参照）。前記構造の水泳用ゴーグルを着用後、パッド４の顔密着部４０の上縁と下縁を眉の下方及び目の下方に位置させると、左フレーム２０、右フレーム２１の全体が頭蓋骨眼窩の内周縁に密着し、並びに、レンズ３０の第一折面３０２及びレンズ３１の第一折面３１２と使用者の目をほぼ平行にする（図８Ｅ参照）。さらに、パッド４の装着部４１は左フレーム２０及び右フレーム２１の上縁と下縁に相対する縦方向の断面と同様に異なる厚さｘ、厚さｙとする（図７参照）。即ち、左フレーム２０、右フレーム２１の上縁に位置する厚さは下縁の厚さより薄い。よって、水泳用ゴーグルを着用後は、眉の下方及び目の下方の輪郭に密着する。
【００１４】
また、強調すべき点であるが、図３及び図６に示した本考案の上面図或いは側面図の通り、パッド４の顔密着部４０は連続するウェーブ形状である。即ち、顔密着部４０は眉の下方及び目の下方に相対するほぼ接近する隙間にウェーブ形状の第一凹箇所ａを形成し、左フレーム、右フレームに相対する被切削円弧面２０５、被切削円弧面２１５は相互に近づいて隙間を縮小し、ウェーブ形状の第二凹箇所ｄを形成する。このように顔密着部４０と装着部４１の相互間のラッパ形状の隙間は、第一凹箇所ａと第二凹箇所ｄによって、顔密着部４０の上面から側面まで連続するウェーブ形状にし、人体工学に符合して頭蓋骨眼窩の内周縁に密着する。
【００１５】
ここで注意して戴きたい点であるが、本考案の前記水泳用ゴーグル１の叙述は単に構造についての説明であり、本考案の水泳用ゴーグル１を使用者の頭部に着用をシミュレーションすると、水泳用ゴーグル１の構造は正面、上面、側面、底面では全く異なるものである。図８Ａ、８Ｂ、８Ｃ、８Ｄを参照すると、レンズ３０の第一折面３０２及びレンズ３１の第一折面３１２と第二折面３０３、第二折面３１３を示した図が異なる事が明確に理解される。その原因はパッド４の装着部４１の上縁の厚さｘ（図８Ａ参照）にあり、パッド４の装着部４１の下縁の厚さｙより小さい（図８Ｄ参照）。並びに、レンズ３０の第一折面３０２、レンズ３１の第一折面３１２は折線３０１、折線３１１を基準として上方向に傾斜し、第二折面３０３、第二折面３１３は、折線３０１、折線３１１を基準として下方向に傾斜する。よって、着用後、パッド４の装着部４１の上縁は眉の下方に密着し、使用者の顔の額を突出しない。尚且つ、第一折面３０２、第一折面３１２は上方向の傾斜面であり、ライン状の第一折面３０２、第一折面３１２が見えるだけで（図８Ｂ）、底面からこれを見ると着用後のパッド４の装着部４１の下縁は目の下方に密着する。また、第二折面３０３、第二折面３１３は下方向の傾斜面であり、底面から第二折面３０３、第二折面３１３、折線３０１、折線３１１、一部分の第一折面３０２、第一折面３１２を見ることができる（図８Ｄ）。尚、図８Ｅを参照すると、本考案の水泳用ゴーグル１を着用後の状態を具体的に理解できる。図に示すとおり、本考案のパッド４の装着部４１の上縁と下縁は異なる厚さｘ、厚さｙに設置し、着用後、左フレーム２０、右フレーム２１は、眉の下方及び目の下方、涙腺脇の鼻梁測辺、眼角等に囲まれるエリア(すなわち、頭蓋骨眼窩の内周縁)に沿って密着し、第一折面３０２、第一折面３１２と第二折面３０３、第二折面３１３の傾斜面に係合させて設置し、着用後、水泳用ゴーグル１全体は使用者の顔の額を突出することなく、レンズ３０の第一折面３０２、レンズ３１の第一折面３１２は自然に使用者の目とほぼ平行となる。
【００１６】
バンド取付部５は左フレーム２０、右フレーム２１の外側に二つの貫通孔５０、貫通孔５１を設け、尚且つ二つの貫通孔５０、貫通孔５１の中央線は、レンズ３０、レンズ３１の折線３０１、折線３１１に相対する上方に位置するため、水泳用ゴーグル着用時のバンド（未図示。公知構造である）の引っ張りを確実にする。レンズ３０の第一折面３０２、レンズ３１の第一折面３１２を使用者の目がほぼ平行となる状態に保ち（図８Ｅ参照）、本考案の水泳用ゴーグルを眼窩の周囲内に確実に着用することができる。
【００１７】
続いて、本考案の水泳用ゴーグル１’の第二実施例を示した図９を参照する。本実施例とその前の実施例の差異は、レンズ３０の折線３０１とレンズ３１の折線３１１を左フレーム２０の外周面２０２、右フレーム２１の外周面２１２上まで延長して設置することにある。これにより、水泳用ゴーグル着用後、第一折面３０２、第一折面３１２は使用者の目とほぼ平行となり、水泳過程において横に見えるものをフレームが遮ることがなく、前進する際の視野を良好に保つことができる効果を発揮する。また、本考案の水泳用ゴーグル１”の第３実施例を示した図１０を参照すると、本考案の連結部品２２’とパッド４の装着部４１を一体となるよう設置する。即ち、該連結部品２２’は同様にＴＰＲ樹脂（Thermo Plastic Rubber）を選択し、パッド４の装着部４１を二次射出成形する時に共に形成する。このように可撓性に富む材料を採用することによって、鼻の形状の違う使用者に適応できる。説明すべき点は、本実施例の装着部４１は連結部品２２’と一体となるよう設置するため、左フレーム２０、右フレーム２１とパッド４の顔密着部４０の結合を合わせて考慮しなければならず、同じ材質を選択する時に、該装着部４１の材質は顔密着部４０よりも硬くする必要があり、もし異なる材質を採用するなら、装着部４１を左フレーム２０、右フレーム２１とパッド４の顔密着部４０の二種類の異なる材料を結合できる複合材料を選択する必要がある。また、異なる材質を採用した装着部４１と顔密着部４０は異なるカラーで設置してもよい。
【００１８】
前述をまとめると、本考案の水泳用ゴーグル１の左フレーム２０、右フレーム２１の外周面２０２、外周面２１２とパッド４の顔密着部４０の輪郭の大きさは、頭蓋骨眼窩の内周縁に相当し、尚且つパッド４の顔密着部４０は眉の下方及び目の下方の上縁と下縁に相対して、パッド４の装着部４１との間にほぼ接近する隙間ｔを保つ。よって、水泳用ゴーグルを着用後、パッド４の顔密着部４０の上縁と下縁を眉の下方及び目の下方に位置させると、左フレーム２０、右フレーム２１の全体が頭蓋骨眼窩の内周縁に密着するため、水泳過程で前進する際の水の抵抗力を低下させる（図８Ｅの矢印参照）。また、本考案の水泳用ゴーグル１のレンズ３０、レンズ３１を傾斜する第一折面３０２、第一折面３１２と第二折面３０３、第二折面３１３に区切るため、水泳過程で横から見えるものをフレームが遮ることがなく、前進する際の視野を良好に保つ効果を発揮する。尚且つ、折線３０１、折線３１１を傾斜させ、左フレーム２０、右フレーム２１が眉の下方及び目の下方に相対するよう係合し、その縦方向の断面を異なる厚さにする設置によって、使用者は着用後に目と折線３０１、折線３１１をほぼ平行にする（図８Ｅ参照）。この他、パッド４の顔密着部４０はウェーブ形状であり、水泳用ゴーグルを着用時に、顔密着部４０は人体工学に符合して全体を頭蓋骨眼窩の内周縁に密着し、着用の快適性を確保し、水が入り込む心配がない。
【符号の説明】
【００１９】
１、１’、１”        水泳用ゴーグル
２０            左フレーム
２０１、２１１        内周面
２０２、２１２        外周面
２０３、２１３  溝
２０４、２１４        嵌合体
２０５、２１５        被切削円弧面
２１            右フレーム
２２、２２’        連結部品
２２１、２２２        嵌着足
３０、３１        レンズ
３０１、３１１        折線
３０２、３１２        第一折面
３０３、３１３        第二折面
４            パッド
４０            顔密着部
４１    装着部
５            バンド取付部
５０、５１    貫通孔
６      眼窩
６０    眼窩上方の内周縁
６１    眼窩下方の内周縁
６２    眼窩内側の内周縁
６３    眼窩外側の内周縁
７０    眉の下方
７１    目の下方
７２    涙腺
７３    眼角
８      鼻梁
８２    鼻梁測辺
ｍ、ｎ、ｘ、ｙ        厚さ
【図１Ａ】
0003185235.tif 000003
【図１Ｂ】
0003185235.tif 000004
【図２】
0003185235.tif 000005
【図３】
0003185235.tif 000006
【図４】
0003185235.tif 000007
【図５】
0003185235.tif 000008
【図６】
0003185235.tif 000009
【図７】
0003185235.tif 000010
【図８Ａ】
0003185235.tif 000011
【図８Ｂ】
0003185235.tif 000012
【図８Ｃ】
0003185235.tif 000013
【図８Ｄ】
0003185235.tif 000014
【図８Ｅ】
0003185235.tif 000015
【図９】
0003185235.tif 000016
【図１０】
0003185235.tif 000017
【図１１】
0003185235.tif 000018
【手続補正書】
【提出日】平成25年5月31日(2013.5.31)
【手続補正１】
【補正対象書類名】図面
【補正対象項目名】図１１
【補正方法】変更
【補正の内容】
【図１１】
0003185235.tif 000019